(57)【要約】【課題】本発明は、デザインの自由度を維持しつつ、マウント時の作業性を高めた取っ手を有する電子機器を提供することを課題とする。【解決手段】本発明の一態様に係る電子機器１は、本体２と、この本体２の前面に突出するフロントパネル３とを有する電子機器であって、本体２の前面におけるフロントパネル３の左右両側に一対の取っ手４を備え、取っ手４が、本体２の前面から突出する支持部４１と、支持部４１の前方に配設され、左右方向に貫通穴４３を有する持ち手部４２とを有し、貫通穴４３の支持部４１側の内面が、フロントパネル２の表面と面一となる領域を有する。【選択図】図１
2020123655.tif 000002
【特許請求の範囲】
【請求項１】
本体と、この本体の前面に突出するフロントパネルとを有する電子機器であって、
前記本体の前面における前記フロントパネルの左右両側に一対の取っ手を備え、
前記取っ手が、
前記本体の前面から突出する支持部と、
前記支持部の前方に配設され、左右方向に貫通穴を有する持ち手部と
を有し、
前記貫通穴の支持部側の内面が、前記フロントパネルの表面と面一となる領域を有する電子機器。
【請求項２】
前記フロントパネルが、その側端部に前記本体から着脱可能な取り外し部を有する請求項１に記載の電子機器。
【請求項３】
前記取り外し部の着脱機構として、磁石を用いる請求項２に記載の電子機器。
【請求項４】
前記支持部の前面に、前記本体側に窪む凹部が形成されており、
前記面一となる領域が前記凹部の上方及び下方に位置する請求項１、請求項２又は請求項３に記載の電子機器。
【請求項５】
前記貫通穴の上下方向の最大幅が４ｃｍ以上７ｃｍ以下である請求項１から請求項４のいずれか１項に記載の電子機器。
【請求項６】
前記フロントパネルの側端部が、前記本体方向へ湾曲している請求項１から請求項５のいずれか１項に記載の電子機器。
【請求項７】
ラックマウント用である請求項１から請求項６のいずれか１項に記載の電子機器。
【発明の詳細な説明】
【技術分野】
【０００１】
本発明は、電子機器に関する。
【背景技術】
【０００２】
例えば業務用オーディオ・パワーアンプのような電子機器は、ホール、劇場等の恒久的設備や、ライブ会場、イベント会場等の移動設備として使用される。このような電子機器にあっては、複数台を同時に使用する場合が多いため、ラックにマウント（搭載）して使用される。特に移動設備として使用される場合は、会場に応じた台数の電子機器を会場においてラックにマウントされる。
【０００３】
このラックへのマウントを容易化するため、電子機器にはフロントパネルの左右に一対の取っ手を設ける場合がある（例えば特許第４８３１０００号公報参照）。この取っ手は、一般に意匠性や省スペース性を考慮しながらフロントパネルに搭載されるスイッチ等の操作性を妨げないようにデザインされている。
【０００４】
ところで、例えば電子機器の多機能化によりスイッチ等が増加し、これらを収容するためフロントパネルが本体の前面に突出している場合がある。このような電子機器においては、前記従来の取っ手の構成では電子機器をマウントする際にフロントパネルに指が引っ掛かり易く、マウント時の作業性が低下するおそれがある。また、フロントパネルがその側端部に本体から着脱可能な取り外し部を有する電子機器では、フロントパネルに指が引っ掛かることで、この取り外し部が脱落するおそれも生じる。一方、マウント時の作業性を考慮して取っ手をデザインすれば、意匠性や省スペース性が低下し易い。このようにフロントパネルが本体の前面に突出している電子機器の取っ手では、意匠性や省スペース性等を考慮したデザインの自由度と、マウント時の作業性とを両立させることが難しい。
【先行技術文献】
【特許文献】
【０００５】
【特許文献１】特許第４８３１０００号公報
【発明の概要】
【発明が解決しようとする課題】
【０００６】
前記実情に鑑みて、本発明は、デザインの自由度を維持しつつ、マウント時の作業性を高めた取っ手を有する電子機器を提供することを課題とする。
【課題を解決するための手段】
【０００７】
前記課題を解決するためになされた本発明の一態様に係る電子機器は、本体と、この本体の前面に突出するフロントパネルとを有する電子機器であって、前記本体の前面における前記フロントパネルの左右両側に一対の取っ手を備え、前記取っ手が、前記本体の前面から突出する支持部と、前記支持部の前方に配設され、左右方向に貫通穴を有する持ち手部とを有し、前記貫通穴の支持部側の内面が、前記フロントパネルの表面と面一となる領域を有する。
【０００８】
本発明の一態様に係る電子機器において、前記フロントパネルが、その側端部に前記本体から着脱可能な取り外し部を有するとよい。
【０００９】
本発明の一態様に係る電子機器は、前記取り外し部の着脱機構として、磁石を用いるとよい。
【００１０】
本発明の一態様に係る電子機器において、前記支持部の前面に、前記本体側に窪む凹部が形成されており、前記面一となる領域が前記凹部の上方及び下方に位置するとよい。
【００１１】
本発明の一態様に係る電子機器において、前記貫通穴の上下方向の最大幅としては、４ｃｍ以上７ｃｍ以下が好ましい。
【００１２】
本発明の一態様に係る電子機器において、前記フロントパネルの側端部が、前記本体方向へ湾曲しているとよい。
【００１３】
本発明の一態様に係る電子機器は、ラックマウント用であるとよい。
【００１４】
なお、本発明において、「前面」とは主に表示装置や操作パネルが配設される面であり、主に入出力端子が配設される面とは反対側の面を指す。また、フロントパネルにはスイッチ等が配設されている場合があるが、「フロントパネルの表面」にはこれらスイッチ等により生じる凸部は含まず、パネル本体の表面を指す。また、「上下」及び「左右」は、当該電子機器を、水平面にその定められた向きで載置した状態における上下及び左右をいう。
【発明の効果】
【００１５】
本発明の一態様に係る電子機器では、取っ手が、貫通穴の支持部側の内面にフロントパネルの表面と面一となる領域を有する。本発明者らは、貫通穴の支持部側の内面の一部にフロントパネルの表面と面一となる領域を設けることで、作業者が取っ手の貫通穴に挿入する指がフロントパネルよりも前面に誘導され易くなり、フロントパネルへの指の引っ掛かりを抑止できることを知得している。また、フロントパネルの表面と面一となる領域は貫通穴の支持部側の内面の一部でよいので、デザインに対する自由度が高く、取っ手の意匠性や省スペース性が低下し難い。従って、当該電子機器は、取っ手のデザインの自由度を維持しつつ、マウント時の作業性を高められる。
【図面の簡単な説明】
【００１６】
【図１】本発明の一実施形態に係る電子機器を示す模式的斜視図である。
【図２】図１の電子機器の模式的側面図である。
【図３】図１の電子機器を正面からみた模式的斜視図である。
【図４】図３の電子機器において取り外し部を取り外した状態を示す模式的斜視図である。
【図５】図２とは異なる実施形態に係る電子機器を示す模式的側面図である。
【発明を実施するための形態】
【００１７】
以下、適宜図面を参照しつつ、本発明の実施の形態を詳説する。
【００１８】
図１乃至図３に本発明の一実施形態に係る電子機器１を示す。当該電子機器１は、ラックマウント用であり、本体２と、本体２の前面に突出するフロントパネル３とを有する。また、当該電子機器１は、本体２の前面におけるフロントパネル３の左右両側に一対の取っ手４を備える。
【００１９】
このような電子機器１としては、例えばアンプ（コントロールアンプ、パワーアンプ）、ＣＤプレーヤー等の音響機器や、ＤＶＤプレーヤー等の影像機器などを挙げることができる。特に電子機器１としては、重量が大きいパワーアンプが好ましい。
【００２０】
＜本体＞
本体２は、図１に示すように、例えば直方体状の筐体２１と、筐体２１の前面に配設される前面板２２と、筐体２１の内部に搭載される電装部品（不図示）とを備える。
【００２１】
筐体２１は、例えば底部及びこの底部の両側からの屈曲により形成される側面部を有するメインシャーシと、前記メインシャーシの天部及び裏面部を覆うカバーシャーシとを備える構成とすることができる。なお、筐体２１の構成は、上述の構成に限定されるものではなく、シャーシの構成が異なるものであってもよいし、シャーシを用いない構成であってもよい。
【００２２】
前面板２２は、図１では、筐体２１の前面を覆うと共に、筐体２１の左右両側面に突出している。あるいは、前面板２２は筐体２１の前面の左右に突出する位置のみに一対設けられてもよい。前面板２２が筐体２１から突出する部分にしか設けられない場合、筐体２１の前面は、例えばカバーシャーシや後述するフロントパネル３により覆われる。
【００２３】
前面板２２の高さ（上下方向の長さ）は、特に限定されず、意匠性等を考慮して適宜決定されるが、例えば筐体２１の高さと同程度とされる。
【００２４】
前記電装部品は、電子機器１の機能を実現するための部品である。この電装部品としては、例えば電子機器１がパワーアンプである場合には、トランジスタ、ＤＳＰ、ＣＰＵ等により構成されるパワーアンプ回路、電源を供給する電源回路、ヒートシンク、冷却ファン等を挙げることができる。
【００２５】
本体２の大きさは、電子機器１の機能を実現するために搭載される電装部品等の数や大きさに応じて適宜決定される。また、本体２の大きさは、マウントされるラックの大きさに適合するように決定される。
【００２６】
＜フロントパネル＞
フロントパネル３は、前面板２２の前面に配設される。また、フロントパネル３の幅（左右方向の長さ）は、前面板２２の幅より短く、例えば正面視で筐体２１の幅と同等又はわずかに短い長さとされる。このようにフロントパネル３の幅を前面板２２の幅より短くすることで、取っ手４を前面板２２に直接取り付けることができるので、取っ手４の強度を確保し易い。
【００２７】
フロントパネル３の高さ（上下方向の長さ）は、特に限定されないが、例えば前面板２２の高さと同等以下とされる。
【００２８】
フロントパネル３が前面板２２から前方へ突出する距離（突出距離）の上限としては、５ｃｍが好ましく、３ｃｍがより好ましい。前記突出距離が前記上限を超えると、本体２の前面から突出する取っ手４の支持部４１の突出距離を長くとる必要が生じ、取っ手４のデザインの自由度が低下し易くなるほか、取っ手４の強度が不足するおそれがある。一方、前記突出距離の下限は、特に限定されず、意匠性等に応じて適宜決定されるが、例えば１ｃｍとできる。
【００２９】
また、フロントパネル３は、図４に示すように、中央部に制御用のスイッチ３１を有し、側端部に本体２から着脱可能な取り外し部３２と、取り外し部３２の着脱機構３３とを有する。
【００３０】
（スイッチ）
スイッチ３１は、当該電子機器１の機能の制御を調節あるいは選択する役割を果たし、例えば出力の大きさを制御するつまみ３１ａや、音質の選択、出力先の選択等を制御するボタン３１ｂにより構成される。
【００３１】
（取り外し部）
取り外し部３２は、例えば冷却ファンの吸い込み口に配設されるフィルタを格納するために用いられる。フィルタは当該電子機器１の経年使用により汚れていくため、交換あるいは清掃を必要とする。このように交換や清掃を必要とする部品を格納する取り外し部３２をフロントパネル３に設けることで、部品のメインテナンス性を向上できる。
【００３２】
取り外し部３２は、その外側が本体２方向、つまり後方へ湾曲している。つまり、フロントパネル３の側端部は、本体２方向へ湾曲している。このようにフロントパネル３の側端部を本体２方向へ湾曲させることで、フロントパネル３の左右に設けられる取っ手４に左右外側から指を挿入した際に、挿入された指がフロントパネル３の前面に誘導され易くなり、指がフロントパネル３に引っ掛かることを抑止できる。従って、当該電子機器１のマウント時の作業性を高められる。
【００３３】
（着脱機構）
着脱機構３３としては、磁石を用いることができる。着脱機構３３に磁石を用いる場合、例えば図４に示すように、取り外し部３２の上下及び左右の端部が本体２と接触する位置それぞれに磁石を配設する構成とすることができる。取り外し部３２は、全体を磁石につく金属で構成することもできるが、取り外し部３２が前記磁石と接する位置のみに磁石につく金属あるいは磁石を配設するとよい。このように金属あるいは磁石を配設することで、取り外し部３２を取り付ける際の位置合わせを容易に行うことができる。なお、取り外し部３２に磁石を配設する場合、その表面は着脱機構３３に用いられている磁石の表面とは極性が逆となるように配設される。
【００３４】
着脱機構３３として磁石を用いることで、取り外し部３２を本体２から完全に取り外す構成とできるので、取り外し部３２内に収容される部品のメインテナンス性を向上できる。また、着脱機構３３の構成が簡素であるので、着脱機構３３を軽量かつ安価なものとできる。
【００３５】
なお、着脱機構３３は磁石を用いた構成に限定されるものではない。着脱機構３３として、例えば取り外し部３２の一辺を蝶番等により本体２に固定し、蝶番を軸として取り外し部３２を回転させて取り外す構成とすることもできる。このような構成にあっては、本体２に固定する取り外し部３２の一辺は、フロントパネル３の側端側の辺とすることが好ましい。このように本体２に固定する取り外し部３２の一辺を、当該電子機器１のマウント時に指が引っ掛かり易いフロントパネル３の側端側の辺とすることで、マウント時にフロントパネル３に指が触れたとしても取り外し部３２が開いてしまうことを効果的に抑止できる。
【００３６】
＜取っ手＞
取っ手４は、本体２の前面から突出する支持部４１と、支持部４１の前方に配設される持ち手部４２とを有する。また、持ち手部４２は、左右方向に貫通穴４３を有する。
【００３７】
（支持部）
支持部４１には、図２に示すように、その前面に本体２側に窪む凹部４１ａが形成されている。この凹部４１ａの底面は、本体２の表面で構成されている。具体的には、支持部４１は、本体２から突出し、上下方向に対向する一対の柱状部４１ｂで構成されており、この一対の柱状部４１ｂの間が凹部４１ａとなっている。このように支持部４１に凹部４１ａを設けることで、取っ手４が軽量化できる。
【００３８】
柱状部４１ｂの形状は、特に限定されないが、例えば図１に示すような円柱状や、角柱状とできる。なお、一対の柱状部４１ｂの形状は、同一であってもよいが、異なってもよい。
【００３９】
柱状部４１ｂの断面の大きさは、取っ手４の意匠性や強度等を考慮して適宜決定される。柱状部４１ｂの高さ（本体２からの突出距離）は、貫通穴４３の配設位置により適宜決定される。また、一対の柱状部４１ｂ間の距離は、貫通穴４３の大きさや取っ手４の意匠性等を考慮して適宜決定される。
【００４０】
一対の柱状部４１ｂは、前面板２２の筐体２１から突出している部分に、前面板２２の裏面側（筐体２１側）からネジ止めされていることが好ましい。このように構成することで、取っ手４が不要である場合は、容易に当該電子機器１から取っ手４を取り外して使用することができる。これにより当該電子機器１の取扱い性を高めることができる。
【００４１】
（持ち手部）
持ち手部４２の形状は、特に限定されないが、例えば図１では、両端が支持部４１の前方に支持部４１の上端及び下端と一致するように延設され、前方が丸みを帯びた形状とされている。
【００４２】
持ち手部４２は、上述のように左右方向に貫通穴４３を有し、持ち手部４２の貫通穴４３を除く部分は、図１及び図２に示すように板状を呈する。持ち手部４２の板状の部分の平均厚さは、持ち手部４２に必要な強度等により決定されるが、例えば３ｍｍ以上５ｍｍ以下とされる。
【００４３】
また、この持ち手部４２の板状の部分は、本体２側、つまり支持部４１と連結する部分で厚くなっていることが好ましい。このように支持部４１と連結する部分を厚くすることで、比較的負荷がかかり易い支持部４１との接続部分の強度を増すことができる。
【００４４】
前記板状部分の平均幅は、取っ手４の意匠性等を考慮して適宜決定されるが、例えば支持部４１の柱状部４１ｂと同等とすることができる。
【００４５】
（貫通穴）
貫通穴４３は、例えば図２に示すように側面視でＯ字状に形成され、支持部４１側の内面にフロントパネル３の表面と面一となる領域（面一領域４３ａ）を有する。なお、貫通穴４３の支持部４１側の内面に側面視でフロントパネル３の表面から３ｍｍ以下、より好ましくは１ｍｍ以下の突出部が存在する場合、これらは「面一となる領域」に含めて考えるものとする。このように支持部４１側の内面にわずかな突出がある場合であっても、本発明の効果は何ら阻害されない。また、通常、面一領域４３ａは平面で構成されるが、例えばフロントパネル３の表面が側面視で曲線を描く場合、面一領域４３ａはこの曲線に追従するような曲面とすることもできる。
【００４６】
面一領域４３ａは、支持部４１の凹部４１ａの上方又は下方のいずれか一方のみに位置していてもよいが、支持部４１の凹部４１ａの上方及び下方に位置することが好ましい。このように面一領域４３ａを凹部４１ａの上方及び下方の２箇所に設けることで、指がフロントパネル３に引っ掛かることを抑止できる。
【００４７】
また、個々の面一領域４３ａは、この面一領域４３ａと上方又は下方に連続する貫通穴４３の支持部４１側の内面が、側面視でフロントパネル３の表面より前方に突出していることが好ましい。このような構成とすることで、指がフロントパネル３に引っ掛かることをより確実に抑止できる。
【００４８】
個々の面一領域４３ａの高さ（貫通穴４３の上下方向の長さで図２のＴ１）の下限としては、０．１ｃｍが好ましく、０．２ｃｍがより好ましい。個々の面一領域４３ａの高さが上記下限未満であると、指がフロントパネル３に引っ掛かることを十分に抑止できないおそれがある。一方、個々の面一領域４３ａの高さＴ１の上限としては、特に限定されず、貫通穴４３の支持部４１側の内面全てが面一領域４３ａとなるように構成してもよい。
【００４９】
また、個々の面一領域４３ａ及びこれに連続し前方に突出している領域を合計した高さ（図２のＴで、以降「合計高さ」ともいう）の下限としては、０．５ｃｍが好ましく、１ｃｍがより好ましい。上記合計高さＴを上記下限以上とすることで、指がフロントパネル３に引っ掛かることをより確実に抑止できる。
【００５０】
貫通穴４３の上下方向の最大幅（図２のＨ）の下限としては、４ｃｍが好ましく、５ｃｍがより好ましい。一方、貫通穴４３の上下方向の最大幅Ｈの上限としては、７ｃｍが好ましく、６．５ｃｍがより好ましい。貫通穴４３の上下方向の最大幅Ｈが前記下限未満であると、貫通穴４３に同時に挿入できる指の本数が制限され、当該電子機器１のラックへのマウント作業が困難となるおそれがある。逆に、貫通穴４３の上下方向の最大幅Ｈが前記上限を超えると、挿入した指と貫通穴４３の上端及び下端との間に隙間が生じ、面一領域４３ａによる指のフロントパネル３の前面への誘導効果が低下し易くなる。このため、指がフロントパネル３に引っ掛かり易くなるおそれがある。なお、貫通穴４３の上下方向の最大幅を前記範囲内とすることで、貫通穴４３には指が２本乃至３本程度同時に挿入でき、かつ挿入した指と貫通穴４３の上端及び下端との間に隙間が生じ難くすることができる。指が３本程度、取っ手４の貫通穴４３に挿入された状態が、当該電子機器１を持ち上げ易く、当該電子機器１のマウント時の作業性を高められる状態である。従って、貫通穴４３の上下方向の最大幅を前記範囲内とすることで、当該電子機器１のマウント時の作業性を高められる。
【００５１】
貫通穴４３の上下方向の最大幅Ｈに対する上記合計高さＴの比の下限としては、１／４が好ましく、１／３がより好ましい。上記比が上記下限未満であると、指がフロントパネル３に引っ掛かることを十分に抑止できないおそれがある。
【００５２】
貫通穴４３の前後方向の最大幅（図２のＷ）の下限としては、１．５ｃｍが好ましく、２ｃｍがより好ましい。一方、貫通穴４３の前後方向の最大幅Ｗの上限としては、４ｃｍが好ましく、３ｃｍがより好ましい。貫通穴４３の前後方向の最大幅Ｗが前記下限未満であると、貫通穴４３への指の挿入が困難となるおそれがある。逆に、貫通穴４３の前後方向の最大幅Ｗが前記上限を超えると、挿入した指と貫通穴４３の前端及び後端との間に隙間が生じ、面一領域４３ａによる指のフロントパネル３の前面への誘導効果が低下し易くなる。このため、指がフロントパネル３に引っ掛かり易くなるおそれがある。また、前記最大幅Ｗが大きくなると、例えば取っ手４により当該電子機器１を持ち上げる際、支持部４１に加わるモーメントが増加する。このため、前記最大幅Ｗが前記上限を超えると、支持部４１に大きなモーメント力が加わり、支持部４１が破損し易くするおそれがある。
【００５３】
＜利点＞
当該電子機器１では、取っ手４が、貫通穴４３の支持部４１側の内面にフロントパネル３の表面と面一となる領域（面一領域４３ａ）を有する。このように貫通穴４３の支持部４１側の内面の一部にフロントパネル３の表面と面一となる領域を設けることで、作業者が取っ手４の貫通穴４３に挿入する指がフロントパネル３よりも前面に誘導され易くなり、フロントパネル３への指の引っ掛かりを抑止できる。また、面一領域４３ａは貫通穴４３の支持部４１側の内面の一部でよいので、デザインに対する自由度が高く、取っ手４の意匠性や省スペース性が低下し難い。従って、当該電子機器１は、取っ手４のデザインの自由度を維持しつつ、マウント時の作業性を高められる。
【００５４】
また、当該電子機器１はマウント時にフロントパネル３への指の引っ掛かりを抑止できるので、取り外し部３２が脱落することを抑止できる。従って、当該電子機器１はこのような取り外し部３２を有する構成においてその脱落防止効果が高い。
【００５５】
さらに、当該電子機器１は、取り外し部３２の着脱機構３３として、磁石を用いる。磁石を用いると、取り外し部３２を本体２から完全に取り外せるため、取り外し部３２の一部を本体２に固定する着脱機構に比べ、取り外し部３２が脱落し易くなる。しかし、当該電子機器１では、このような着脱機構３３にあってもフロントパネル３への指の引っ掛かりを抑止できるため、当該電子機器１のマウント時に取り外し部３２が脱落することを効果的に抑止できる。
【００５６】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００５７】
前記実施形態では、電子機器がラックマウント用である場合を説明したが、本発明はラックマウント用の電子機器に限定されるものではなく、取っ手を有する他の電子機器を含む。
【００５８】
前記実施形態では、取り外し部に交換や清掃を必要とする部品を格納する場合を説明したが、取り外し部の用途はこれに限定されない。例えば使用頻度の低いスイッチ等を内部に格納する用途に用いてもよい。
【００５９】
また、前記実施形態では、フロントパネルが、その側端部に電子機器の本体から着脱可能な取り外し部を有する場合を説明したが、この取り外し部は必須の構成要素ではない。本体の前面に突出するフロントパネルを有する限り、取り外し部を有さない電子機器も本発明の意図するところである。
【００６０】
前記実施形態では、貫通穴の形状がＯ字状である場合を説明したが、貫通穴の形状はこれに限定されるものではない。例えば貫通穴は方形状や楕円状であってもよい。また、貫通穴の支持部と反対側の内面が、挿入された指の形状に沿うような波形に加工されていてもよい。
【００６１】
前記実施形態では、貫通穴は上下で対称性を有するが、貫通穴は上下で非対称なものとすることもできる。
【００６２】
前記実施形態では、一対の取っ手が同一形状である場合を説明したが、一対の取っ手の形状は異なってもよい。
【００６３】
前記実施形態では、支持部の凹部の底面が本体の表面で構成されている場合を説明したが、凹部の底面は本体の表面まで達さず、支持部の一部で構成されてもよい。
【００６４】
また、前記実施形態では、支持部の前面に、電子機器の本体側に窪む凹部が形成されている場合を説明したが、この凹部は必須の構成要素ではない。例えば図５に示すように凹部を有さない電子機器５も本発明に含まれる。図５に示す電子機器５では、取っ手６が、本体２の前面から突出する支持部６１と、支持部６１の前方に配設される持ち手部６２とを有する。また、持ち手部６２が左右方向に貫通穴６３を有する。
【００６５】
図５の電子機器５では、支持部６１は、直方体状である。この支持部６１の前方に持ち下部６２が、その両端が支持部４１の上端及び下端と一致するように延設されている。また、貫通穴６３は、支持部６１側の内面（支持部６１の前面）が、支持部６１の前面で構成され、フロントパネル３の表面と面一となっている。このように貫通穴６３の支持部６１側の内面全体を、フロントパネル３の表面と面一となる面一領域６３ａとすることで、より確実に貫通穴６３に挿入する指をフロントパネル３よりも前面に誘導することができる。
【００６６】
なお、図５において、図１乃至図３と同等の部分には同一符号を付した。また、図５の電子機器５では、貫通穴６３の支持部６１側の内面全体を面一領域６３ａとする場合を説明したが、貫通穴６３の支持部６１側の内面の一部を面一領域６３ａとしてもよい。このように貫通穴６３の支持部６１側の内面の一部を面一領域６３ａとしても、面一領域６３ａによる指のフロントパネル３の前面への誘導効果を得ることができる。
【００６７】
前記実施形態では、本体の筐体が直方体状である場合を説明したが、筐体は直方体状に限定されるものではなく、他の形状を採用することもできる。
【００６８】
前記実施形態では、本体の前面板が筐体の側面に突出する場合を説明したが、本体は前面板が筐体の側面に突出しない構成であってもよい。
【００６９】
また、前面板は必須の構成ではなく、省略可能である。この場合、一対の取っ手は例えば本体の筐体に直接取り付けられる。
【産業上の利用可能性】
【００７０】
本発明に係る電子機器では、取っ手を、デザインの自由度を維持しつつマウント時の作業性を高めたものとできる。
【符号の説明】
【００７１】
１、５  電子機器
２  本体
２１  筐体
２２  前面板
３  フロントパネル
３１  スイッチ
３１ａ  つまみ
３１ｂ  ボタン
３２  取り外し部
３３  着脱機構
４、６  取っ手
４１、６１  支持部
４１ａ  凹部
４１ｂ  柱状部
４２、６２  持ち手部
４３、６３  貫通穴
４３ａ、６３ａ  面一領域
【図１】
2020123655.tif 000003
【図２】
2020123655.tif 000004
【図３】
2020123655.tif 000005
【図４】
2020123655.tif 000006
【図５】
2020123655.tif 000007